(57)【要約】【課題】筆跡に接着性の有する筆記具を得る。【解決手段】接着剤を含む筆記具用インキ組成物を充填した接着性を有する筆記具とすることで、通常の筆記具と同等の筆記性を有するとともに、当該筆跡は接着のりのような接着機能を兼ね備える効果がある。また、筆跡に接着性を有するためエンボスや砂を降り掛けることで、筆跡を立体的にできる効果があり、筆跡に意匠性を与えることもでき、さらに点字文字の作成にも使用できる実用的効果がある。【選択図】なし【特許請求の範囲】
【請求項１】
接着剤を含む筆記具用インキ組成物を充填した接着性を有する筆記具。
【請求項２】
前記筆記具がボールペンである請求項１記載の接着性を有する筆記具。
【請求項３】
経時的に消色する着色剤を含む請求項１又は請求項記載の接着性を有する筆記具。
【発明の詳細な説明】
【０００１】
【発明の属する技術分野】
本発明は、筆記具に関するものであり、特に筆記した筆跡に接着性を与える筆記具に関する。
【０００２】
【従来の技術】
従来、筆記具として公知のものは、筆記による筆跡は筆記面には接着し筆記面より筆跡は剥がれないように工夫されている。しかし、該筆跡に他のものを接着する接着のりのような接着機能をもつものは無かった。一方、ものを接着するための接着のりは通常は無色であり筆記具のように文字等を書くのには使用できなかった。中には着色したのりもあるが、文字等を書けるようなものは無かった。
【０００３】
【発明が解決しようとする課題】
本発明の目的は、通常の筆記具と同様に文字等が書ける筆記具であって、且つ当該筆跡に接着のりのような接着機能を持つことができる筆記具を提供するものである。
【０００４】
【課題を解決するための手段】
上記目的を達成するため、鋭意研究した結果、接着剤を含む筆記具用インキ組成物を用いることで、上記目的が達成されることを見出した。
【０００５】
即ち、請求項１の発明は、接着剤を含む筆記具用インキ組成物を充填した接着性を有する筆記具であり、通常の筆記具としての筆記性を有するとともに、筆跡に接着のりのような接着機能を有する。
また、請求項２の発明は、前記筆記具がボールペンである請求項１記載の接着性を有する筆記具であり、接着剤を含む筆記具用インキ組成物の筆記時におけるインキ流出性に優れる効果を有する。
さらに、請求項３の発明は、経時的に消色する着色剤を含む請求項１又は請求項２記載の接着機能を有する筆記具であり、筆記時には筆跡は着色しているが、時間が経つと該筆跡が消える効果を有する。
【０００６】
【発明の実施の形態】
（筆記具容器）
本発明に用いられる筆記具容器は、通常筆記具に用いられるものであれば、特に制限なく使用できる。具体的には、インキを直接パイプに充填し、該パイプ先端にボールペンチップを備えたボールペンやインキを中芯に吸蔵しインキを保持し、ペン先に繊維束チップ、プラスチックペン先、ポーラス製チップ等よりなるサイペン、マーカー、またはフリーなインキを容器に充填し容器開口部に弁機構を備えることでインキ流出を調節する弁式筆記具、さらに万年筆に使用される蛇腹方式の筆記具が使用される。接着剤を有するインキ組成物の筆記時のインキ流出性の点でボールペンが好ましい。
【０００７】
（接着剤）
本発明に使用できる接着剤としては、筆記具用インキ組成物に配合でき、筆記による筆跡において、当該筆跡に接着性を与えるものが使用でき、具体的には、デキストリン、澱粉、ポリビニルアルコール、アルギン酸ソーダ、ヒドロキシメチルセルローズ、カルボキシメチルセルローズ、Ｐ．Ｖ．Ａビニルエーテルマレイン酸共重合物等が使用できる。また、接着剤として合成樹脂エマルションが使用でき、例えばアクリル系合成樹脂エマルジョン、スチレン−アクリル系合成樹脂エマルジョン、酢酸ビニル系合成樹脂エマルジョンを用いることができ、さらにこれら合成エマルジョン１種又は２種以上を混合して用いることができる。具体的には、アクリル合成樹脂エマルジョンとして、商品名「ニカゾールＦＸ３３６」（日本カーバイド工業株式会社製）、商品名「モビニールＤＭ７７２」（クラリアントポリマー株式会社）、商品名「モビニールＤＭ７００」（クラリアントポリマー株式会社）などが挙げられ、また酢酸ビニル系合成樹脂エマルジョンとして、商品名「ニカゾールＴＧ１３４Ａ」（日本カーバイド工業株式会社製）、商品名「モビニール５０７」（クラリアントポリマー株式会社）などが挙げられる。接着剤は筆記具用インキ組成物全量に対して０．１重量％〜４０重量％が使用できる。０．１重量％未満のときは筆記線の接着性が低下し、４０重量％を超えるときはインキ粘度に起因する筆記性の悪化等を引き起こす。
【０００８】
（筆記具用インキ組成物）
本発明に使用できる筆記具用インキ組成物は、通常の筆記具用インキ組成物に用いられるものであればよく、筆記具用水性インキ組成物、筆記具用油性インキ組成物であってもよい。使用接着剤との関係で筆記具用水性インキ組成物が使用し易い。筆記具用インキ組成物の構成は、通常のものと変わりなく溶媒として水、エチルアルコール等の有機溶媒が使用でき、着色剤としては公知の染料やフタロシニアン系、キナクリドン系、スレン系、アゾ系、アンスラキノン系、ジオキサジン系、インジゴ系等の有機顔料、酸化チタン、カーボンブラック等の無機顔料さらに蛍光着色樹脂粒子及びアルミニュウム顔料等の金属粉顔料、ガラスフレーク顔料、パール顔料、視角依存多色性顔料等の光輝性顔料等が通常に使用できる。また筆記部の乾燥防止剤としては、例えば、エチレングリコ−ル、ジエチレングリコ−ル、トリエチレングリコ−ル、プロピレングリコ−ル、ポリエチレングリコ−ル等のグリコ−ル類、グリセリン等の多価アルコール類、エチレングリコ−ルモノメチルエ−テル、ジエチレングリコ−ルモノメチルエ−テル等のグリコ−ルエ−テル類等に代表される水溶性有機溶剤、ジエチルフタレート、ジオクチルフタレート等の可塑剤類、リモネンを主成分とするオレンジオイルなどのオイル類、ベンジルアルコールなどの高沸点アルコール等が使用できる。これらは１種又は２種以上を混合して用いることができる。また、溶媒がエタノールなどのアルコールである場合には水の添加も有効である。
【０００９】
また、増粘樹脂にてインキの粘度を調整する場合は、水溶性アクリル樹脂、水溶性マレイン酸樹脂、水溶性スチレン樹脂、水溶性スチレンアクリル樹脂等の水溶性増粘樹脂がある。また、インキにチキソトロピー性を与えるためにザンサンガム、ウエランガム、グァーガム、ローストビーンガム、アラビヤガム等の多糖類が用いることができる。
【００１０】
（その他の添加物）
本発明においてはその他必要に応じて、ポリオキシエチレンアルカリ金属塩、ジカルボン酸アミド、リン酸エステル、Ｎ−オレイルサルコシン塩等の潤滑剤、ベンゾトリアゾール、トリルトリアゾールジシクロヘキシルアンモニウムナイトレート等の防錆剤、ベンゾイソチアゾリン系、ペンタクロロフェノール系、クレゾール、パラベン等の防腐防黴剤、ジブチルヒドロキシトルエン等の酸化防止剤、その他各種の界面活性剤、顔料分散剤などを添加することもできる。
【００１１】
【実施例】
（実施例１）
ポリビニルアルコール（ＰＶＡ２０３（クラレ製））　　　３０．０重量％
顔料（ＧＢＮカラーレッド（大日精化製））　　　　　　　　　７．５重量％
プロピレングリコール　　　　　　　　　　　　　　　　　２．５重量％
イオン交換水　　　　　　　　　　　　　　　　　　　　６０．０重量％
実施例１の接着剤剤を含むインキ組成物をボールペンレフィールのインキパイプに充填し、ボールペンとした。
当該ボールペンにて筆記すると、通常のボールペンと同等に筆記でき、且つその筆跡は接着のりのような接着機能があった。
【００１２】
【発明の効果】
本発明は、接着剤を含む筆記具用インキ組成物を筆記具に充填したことで、通常の筆記具と同等の筆記性を有するとともに、当該筆跡は接着のりのような接着機能を兼ね備える効果がある。また、筆跡が接着機能を有することでエンボスや砂を降り掛けて筆跡を立体的にできる効果があり、筆跡に意匠性を与えることもできる。さらに点字文字の作成にも使用できる実用的効果がある。